(57)【要約】【課題】本発明は集光素パターンが表面に形成された第１の素材と画素パターンが表面に形成された第２の素材とが別体の装飾表示体において画素の拡大虚像を簡単かつ確実に現出させることができる装飾表示体を提供することを目的とする。【解決手段】装飾表示体１は、集光素１１１ａに方向性を持たせ配列ピッチｐで配列してなる集光素パターン１１１が形成された集光素板１１と、画素１２１ａに集光素パターン１１１と同じ方向性を持たせ配列ピッチｑで配列してなる画像パターン１２１が形成された画素シート１２とを備え、集光素板１１に第１の孔群１１２が設けられ、画素シート１２に第１の孔群１１２に対応する第２の孔群１２２が設けられ、両孔群１１２，１２２の位置が一致する態様で集光素板１１と画素シート１２が重ね合わさることで集光素パターン１１１と画素パターン１２１の両配列方向が一致する。【選択図】図２
2014065212.tif 000002
【特許請求の範囲】
【請求項１】
複数の凸レンズ状の集光素を各集光素の並びに方向性を持たせて所定の配列ピッチで２次元的に配列してなる集光素パターンが表面または裏面に形成された透明な板状またはシート状の第１の素材と、
着色された複数の画素を各画素の並びに前記集光素パターンと同じ方向性を持たせて前記各集光素の配列ピッチと異なる配列ピッチで２次元的に配列してなる画像パターンが表面または裏面に形成されたシート状または板状の第２の素材とを備え、
前記第１の素材に複数の第１の位置合わせ部が設けられるとともに、第２の素材に各第１の位置合わせ部に対応する複数の第２の位置合わせ部が設けられ、前記第１の位置合わせ部と該第１の位置合わせ部に対応する第２の位置合わせ部との位置が一致する態様で第１の素材と第２の素材が厚み方向に重ね合わさることより、前記第１の素材の集光素パターンと前記第２の素材の画素パターンの両配列方向が一致することを特徴とする装飾表示体。
【請求項２】
前記複数の第１の位置合わせ部は、前記第１の素材に穿設された複数の孔からなる第１の孔群であり、前記複数の第２の位置合わせ部は、前記第２の素材に前記第１の孔群に対応するように穿設された複数の孔からなる第２の孔群であり、前記第１の孔群と該第１の孔群に対応する第２の孔群との各孔の位置が一致する態様で前記第１の素材と第２の素材が厚み方向に重ね合わさる請求項１に記載の装飾表示体。
【請求項３】
前記複数の第１の位置合わせ部および前記複数の第２の位置合わせ部は、第１の素材および第２の素材の少なくとも２つの角部に分かれて設けられている請求項１または請求項２に記載の装飾表示体。
【請求項４】
前記第１の孔群と該第１の孔群に対応する第２の孔群との各孔の位置が一致する態様で前記第１の素材と第２の素材が厚み方向に重ね合わされた際に、第１の孔群と該第１の孔群に対応する第２の孔群との各孔により形成される連通孔に挿通されることにより、第１の素材と第２の素材を互いに固定する固定部材が設けられている請求項１ないし請求項３のいずれかに記載の装飾表示体。
【請求項５】
前記固定部材は、第１の孔群と該第１の孔群に対応する第２の孔群との各孔により形成される連通孔に挿通される棒状の胴部と、該胴部の一方端部に前記第１の孔群の孔より大きい径で形成された頭部とからなる固定用雄部材と、前記連通孔に挿通された前記固定用雄部材の胴部の他方端部に脱着可能に係合する固定用雌部材とを有する請求項４に記載の装飾表示体。
【請求項６】
前記第２の素材における第１の素材と反対側に第３の素材が設けられ、前記第２の素材と第３の素材の間に写真等の表示体が介在する請求項１ないし請求項５のいずれかに記載の装飾表示体。
【発明の詳細な説明】
【技術分野】
【０００１】
本発明は、フォトフレーム、遊技機やゲーム機の外層パネル、包装箱、広告体、飾り品、ディスプレイ装置、文房具、土産品、教材等の各種商品の装飾に適用される装飾表示体に関するものである。
【背景技術】
【０００２】
従来より、フォトフレーム、遊技機やゲーム機の外層パネル、包装箱、広告体、飾り品、ディスプレイ装置、文房具、土産品、構造体、教材等の各種商品の装飾として、図柄の拡大虚像を各種商品の表面から上方または下方に現出させる装飾表示体を適用することが知られており、例えば下記特許文献１〜特許文献５に開示されている。
【０００３】
これらの装飾表示体は、板状の透明素材の表面に、複数の凸レンズ状の集光素を各集光素の並びに方向性を持たせて所定の配列ピッチで２次元的に配列して集光素パターンが形成されるとともに、上記透明素材の裏面に、着色された複数の画素を各画素の並びに集光素パターンと同じ方向性を持たせて各集光素の配列ピッチと異なる配列ピッチで２次元的に配列して画素パターンが形成され、各集光素と各画素の配列ピッチが異なるように集光素パターンと画素パターンが形成されることによって、画素パターンによる立体的な図柄の拡大虚像を現出するものである。
【０００４】
そして、最近では、集光素パターンが表面に形成された透明な板状の第１の素材と、該第１の素材と別体となされ、画素パターンが表面に形成されたシート状の第２の素材とを備え、第１の素材と第２の素材とが厚み方向に重ね合わさることによって、画素の拡大虚像を現出する装飾表示体が知られている（例えば、特許文献２の図９）。これによれば第１の素材の表面に集光素パターンのみを形成するとともに、この集光素パターンの形成とともに別体の第２の素材の表面に画素パターンを形成することができる。このため集光素パターンと画素パターンの形成にかかる時間を大幅に短縮し得ることから、装飾表示体の製造コストを大幅に低減することが可能になる。また、第１の素材と第２の素材を別体の状態で販売し得るため、一般消費者が第１の素材と第２の素材を重ね合わせて画素の拡大虚像を自らで現出させることができ、装飾表示体の趣向性を向上させることが可能となる。
【先行技術文献】
【特許文献】
【０００５】
【特許文献１】特許第４９０７０４９号
【特許文献２】特許第３４８８１７９号
【特許文献３】特開２００８−０１２８７０号
【特許文献４】特開２００３−２２６１００号
【特許文献５】特開２００３−２２６０９９号
【発明の概要】
【発明が解決しようとする課題】
【０００６】
しかしながら、第１の素材と第２の素材が別体である装飾表示体は、集光素パターンと画素パターンの両配列方向を一致させることを要するが、この作業は非常に繊細であるため、集光素パターンと画素パターンの両配列方向を一致させながら第１の素材と第２の素材を重ね合わせることは容易なことではなかった。特に多くの一般消費者は当該作業の経験をほとんど有しないため、集光素パターンと画素パターンの両配列方向を一致させることは非常に困難なことであり、その結果、集光素パターンと画素パターンの両配列方向がずれてしまい（図６参照）、画素の拡大虚像を確実に現出させることができない場合が生じるという問題があった。なお、図６中において、破線の矢印Ｘ，Ｙは集光素パターン２１１における集光素２１１ａの配列方向を示し、実線の矢印ｘ，ｙは画素パターン２２１における画素２２１ａの配列方向を示している。
【０００７】
本発明は、上述の問題に鑑みてなされたものであって、集光素パターンが表面に形成された第１の素材と、画素パターンが表面に形成された第２の素材とが別体に設けられた装飾表示体において、画素の拡大虚像を簡単かつ確実に現出させることができる装飾表示体を提供することを目的とする。
【課題を解決するための手段】
【０００８】
本発明に係る装飾表示体は、上記目的を達成するために、複数の凸レンズ状の集光素を各集光素の並びに方向性を持たせて所定の配列ピッチで２次元的に配列してなる集光素パターンが表面または裏面に形成された透明な板状またはシート状の第１の素材と、着色された複数の画素を各画素の並びに集光素パターンと同じ方向性を持たせて各集光素の配列ピッチと異なる配列ピッチで２次元的に配列してなる画像パターンが表面または裏面に形成されたシート状または板状の第２の素材とを備えている。そして、本装飾表示体は、第１の素材に複数の第１の位置合わせ部が設けられるとともに、第２の素材に各第１の位置合わせ部に対応する複数の第２の位置合わせ部が設けられ、第１の位置合わせ部と該第１の位置合わせ部に対応する第２の位置合わせ部との位置が一致する態様で第１の素材と第２の素材が厚み方向に重ね合わさることより、第１の素材の集光素パターンと第２の素材の画素パターンの両配列方向が一致することを特徴とする。
【０００９】
これによれば、第１の素材と第２の素材とを重ね合わせに際して、複数の第１の位置合わせ部と複数の第２の位置合わせ部の位置を一致させるだけで集光素パターンと画素パターンの両配列方向を一致させ得るため、画素の拡大虚像を簡単かつ確実に現出させることができる。
【００１０】
また、複数の第１の位置合わせ部は、第１の素材に穿設された複数の孔からなる第１の孔群であり、複数の第２の位置合わせ部は、第２の素材に第１の孔群に対応するように穿設された複数の孔からなる第２の孔群であり、第１の孔群と該第１の孔群に対応する第２の孔群との各孔の位置が一致する態様で第１の素材と第２の素材が厚み方向に重ね合わさるのが好ましい。これによれば、第１の孔群の各孔と第２の孔群の各孔が一致しているか否かを容易に視覚的に確認しながら第１の素材と第２の素材を重ね合わせることができる。
【００１１】
また、複数の第１の位置合わせ部および複数の第２の位置合わせ部は、第１の素材および第２の素材の少なくとも２つの角部に分かれて設けられているのが好ましい。これによれば第１の孔群および第２の孔群における各孔の平面方向の距離が長くなるため、集光素パターンと画素パターンの両配列方向を一致させ易くなる。
【００１２】
また、第１の孔群と該第１の孔群に対応する第２の孔群との各孔の位置が一致する態様で第１の素材と第２の素材が厚み方向に重ね合わされた際に、第１の孔群と該第１の孔群に対応する第２の孔群との各孔により形成される連通孔に挿通されることにより、第１の素材と第２の素材を互いに固定する固定部材が設けられているのが好ましい。これによれば、固定部材が第１の孔群の各孔と第２の孔群の各孔によって形成される連通孔に挿通されることによって、第１の素材と第２の素材の平面方向における位置ずれが防止されるため、集光素パターンと画素パターンの両配列方向が一致した状態が維持され、画素の拡大虚像を安定して現出させることができる。
【００１３】
また、固定部材は、第１の孔群と該第１の孔群に対応する第２の孔群との各孔により形成される連通孔に挿通される棒状の胴部と、該胴部の一方端部に第１の孔群の孔より大きい径で形成された頭部とからなる固定用雄部材と、連通孔に挿通された固定用雄部材の胴部の他方端部に脱着可能に係合する固定用雌部材とを有するのが好ましい。これによれば、固定用雄部材の頭部と固定用雌部材が挟持する態様で第１の素材と第２の素材を固定することにより、第１の素材と第２の素材の厚み方向における位置ずれが防止されるため、画素の拡大虚像をより安定して現出させることができる。
【００１４】
また、第２の素材における第１の素材と反対側に第３の素材が設けられ、第２の素材と第３の素材の間に写真等の表示体が介在するものであってもよい。これによれば、第１の素材の集光素パターンと第２の素材の画素パターンの焦点距離に影響を与えることなく、写真等の表示体を視認可能な状態で表示させることができる。
【発明の効果】
【００１５】
本発明によれば、第１の素材と第２の素材とを重ね合わせに際して、複数の第１の位置合わせ部および複数の第２の位置合わせ部の位置を一致させるだけで集光素パターンと画素パターンの両配列方向を一致させ得るため、画素の拡大虚像を簡単かつ確実に現出させることができる。このため、第１の素材と第２の素材の重ね合わせにおいては経験の有無が問われることがなく、第１の素材の集光素パターンと第２の素材の画素パターンの両配列方向を一致させることが容易となり、誰でも簡単に画素の拡大虚像が現出する装飾表示体を組み立てることが可能となる。
【図面の簡単な説明】
【００１６】
【図１】本実施形態に係る装飾表示体の斜視図である。
【図２】図１の装飾表示体の分解斜視図である。
【図３】図１の装飾表示体の（ａ）拡大断面図と、（ｂ）集光素と画素の位置関係を示す正面模式図である。
【図４】図１の装飾表示体のＩＶ−ＩＶ線断面矢視図および画素の拡大虚像を示す図である。
【図５】図１の装飾表示体のＶ−Ｖ線断面矢視図および画素の拡大虚像を示す図である。
【図６】集光素と画素の両配列方向がずれている場合の集光素と画素の位置関係を示す正面模式図である。
【発明を実施するための形態】
【００１７】
次に、本発明に係る装飾表示体の一実施形態について図１〜図５を参照しつつ説明する。
【００１８】
本実施形態に係る装飾表示体１は、図１に示すように、中央部で写真Ｆを表示するフォトフレームに適用されている。本装飾表示体１は、図２および図３に示すように、アクリル板等の合成樹脂からなる透明な板状の集光素板（第１の素材）１１と、該集光素板１１の裏面側に配置されるシート状の画素シート（第２の素材）１２と、該画素シート１２の裏面側に配置されたシート状の支持シート１３と、写真Ｆを画素シート１２と支持シート１３の間に介在させながら集光素板１１、画素シート１２および支持シート１３を重ね合わせた状態で固定する固定部材１４とを備えている。
【００１９】
前記集光素板１１は、図１に示すように、左右方向を長さ方向とする略矩形状に形成された板状部材であり、表面の周縁部に、無色透明のインキを用いて複数の凸レンズ状の集光素１１１ａを印刷して集光素パターン１１１が形成されている。
【００２０】
この集光素パターン１１１は、図３に示すように、集光素１１１ａを各集光素１１１ａの並びに方向性を持たせて２次元的に配列して形成されており、ｘ方向とこれに直交するｙ方向へ同じ配列ピッチｐで各集光素１１１ａがマトリクス状に等配列して形成されている。
【００２１】
なお、本実施形態では、各集光素１１１ａの直径が０．９ｍｍ、配列ピッチｐが１．０ｍｍに設定されている。また、各集光素１１１ａの配列は、必ずしも直交するパターンである必要はなく、一方の配列方向に対する他方の配列方向が９０度より小さい角度または９０度より大きい角度をなすようにしてもよい。
【００２２】
また、前記集光素板１１は、図２および図３に示すように、厚みｄで形成されている。この厚みｄは、集光素板１１の表面に形成された集光素パターン１１１の集光素１１１ａによって後述する画素１２１ａの拡大虚像Ｚを現出させる厚みに設定されており、集光素１１１ａや画素１２１ａの大きさや配列ピッチによって適宜設定される。なお、本実施形態では、集光素板１１の厚みｄは３．０ｍｍに設定されている。
【００２３】
また、集光素板１１は、図１に示すように、中央部（表面において周縁部以外の内側部分）に透明な窓部１１３が形成されており、画素シート１２と支持シート１３の間に配置される写真Ｆを該窓部１１３から表面側に視認可能に露出させることができる。
【００２４】
また、この集光素板１１は、図２に示すように、第１の位置合わせ部として、各角部付近にそれぞれ平面視円形の孔１１２ａが穿設されており、それら４つの孔１１２ａにより第１の孔群１１２が構成される。この第１の孔群１１２の各孔１１２ａは、集光素板１１の直交方向に貫通する態様で穿設されており、各孔１１２ａの形状および大きさはいずれも同一に形成されている。
【００２５】
前記画素シート１２は、図２および図３に示すように、表面が集光素板１１の裏面に接触する態様で配置されるものであって、集光素板１１と同一形状に形成された部材である。この画素シート１２は、表面の周縁部における集光素板１１の集光素パターン１１１と重なる位置に、着色された透明または不透明インキを用いて複数の画素１２１ａを印刷して画素パターン１２１が形成されている。
【００２６】
この画素パターン１２１は、図３に示すように、複数の画素１２１ａを各画素１２１ａの並びに上記集光素パターン１１１と同じ方向性を持たせて２次元的に配列して形成されている。つまり、画素パターン１２１は、一方向とこれに直交する方向へ各画素１２１ａをマトリクス状に等配列して形成されており、後述の固定部材１４によって該画素パターン１２１が集光素パターン１１１の配列方向であるｘ方向およびｙ方向に一致する態様で集光素板１１と固定される。なお、本実施形態では画素１２１ａの直径は０．９ｍｍに設定されている。
【００２７】
この画素パターン１２１は、集光素１１１ａの配列ピッチｐより小さい配列ピッチｑで各画素１２１ａが配列しており、本実施形態では画素１２１ａの配列ピッチｑは０．９５ｍｍに設定されている。これにより、集光素板１１の集光素パターン１１１と画素シート１２の画素パターン１２１の両配列方向が一致する態様で集光素板１１と画素シート１２が厚み方向に重ね合わさった場合、ｘ−ｙ平面の各方向について、複数個おきに集光素１１１ａと画素１２１ａが完全に重なる部分と、その周囲の画素１２１ａが集光素１１１ａから順次内側に位置ずれする部分とが繰り生じる。このように、画素１２１ａの配列ピッチｑが集光素１１１ａの配列ピッチｐより小さく設定されている場合、後述のように拡大虚像Ｚは画素パターン１２１が形成された画素シート１２の裏側（図４および図５中では左側）に現出することとなる。
【００２８】
また、画素シート１２は、中央部（表面において周縁部以外の内側部分）に透明な窓部１２３が形成されており、裏面側に配置される写真Ｆを該窓部１２３から表面側（集光素板１１側）に視認可能に露出させることができる。
【００２９】
また、この画素シート１２は、図２に示すように、第２の位置合わせ部として、各角部付近にそれぞれ平面視円形状の孔１２２ａが穿設され、それら４つの孔１２２ａにより第２の孔群１２２が構成される。この第２の孔群１２２の各孔１２２ａは、画素シート１２の直交方向に貫通する態様で穿設されたものであり、集光素板１１における第１の孔群１１２の各孔１１２ａと同一の形状および大きさで形成されている。  また、第２の孔群１２２の各孔１２２ａは、第１の孔群１１２の各孔１１２ａの位置に対応する位置に穿設されており、後述するように集光素板１１と画素シート１２が重ね合わされたときに、第１の孔群１１２の各孔１１２ａの位置が一致すると、集光素板１１における集光素パターン１１１と画素シート１２における画素パターン１２１の両配列方向が一致するように設計されている。
【００３０】
前記支持シート１３は、図１および図２に示すように、表裏両面が平坦状に形成されており、画素シート１２の裏面との間に写真Ｆを介在させて配置され、集光素板１１および画素シート１２と同一形状に形成されている。これによれば集光素板１１の集光素パターン１１１と画素シート１２の画素パターン１２１の焦点距離に影響を与えることなく、写真Ｆを視認可能な状態で表示させることができる。
【００３１】
この支持シート１３は、第１の孔群１１２の各孔１１２ａおよび第２の孔群１２２の各孔１２２ａに対応するように穿設された４つの孔１３２ａからなる第３の孔群１３２が設けられている。該第３の孔群１３２の各孔１３２ａは、支持シート１３の直交方向に貫通する態様で穿設され、第１の孔群１１２の各孔１１２ａおよび第２の孔群１２２の各孔１２２ａと同一の形状および大きさで形成されている。
【００３２】
而して、図２に示すように、各孔群１１２，１２２，１３２における各孔１１２ａ，１２２ａ，１３２ａの位置が一致する態様で集光素板１１、画素シート１２および支持シート１３を厚み方向に重ね合わせると、集光素パターン１１１と画素パターン１２１の両配列方向が一致するため、画素の拡大虚像を簡単かつ確実に現出させることができる。
【００３３】
また、本実施形態では、各孔群１１２，１２２，１３２における各孔１１２ａ，１２２ａ，１３２ａの位置の一致において、各孔１１２ａ，１２２ａ，１３２ａが前後方向に連続することによって、連通孔１５（図２中の二点鎖線で示す箇所）がそれぞれ形成されるようになっている。したがって、各孔１１２ａ，１２２ａ，１３２が一致しているか（連通孔１５が形成されているか）否かを視覚的に確認しながら集光素板１１、画素シート１２および支持シート１３を重ね合わせることができる。なお、各孔１１２ａ，１２２ａ，１３２が一致を確認するに際しては、必ずしも完全同一である必要はなく、概ね一致するものであれよい。
【００３４】
前記固定部材１４は、図２に示すように、各孔群１１２，１２２，１３２における各孔１１２ａ，１２２ａ，１３２ａの位置が一致する態様で集光素板１１、画素シート１２および支持シート１３が重ね合わさった際に、各孔１１２ａ，１２２ａ，１３２ａによって形成された各連通孔１５に取り付けられるものであり、それぞれ一対の固定用雄部材１４１および固定用雌部材１４２からなる。
【００３５】
前記固定用雄部材１４１は、連通孔１５に挿通される棒状の胴部１４１ａと、該胴部１４１ａの一方側（前方側）端部に第１の孔群１１２の孔１１２ａより大きい径で形成された頭部１４２ｂとからなるものである。一方、前記固定用雌部材１４２は、連通孔１５に挿通された固定用雄部材１４１の胴部１４１ａの他方側（後方側）端部に脱着可能に嵌合するものである。
【００３６】
この固定部材１４では、各孔群１１２，１２２，１３２の各孔１１２ａ，１２２ａ，１３２ａによって形成された各連通孔１５にそれぞれ固定用雄部材１４１の胴部１４１ａが挿通される。これにより、集光素板１１および画素シート１２の平面方向におけるずれが防止されるため、集光素パターン１１１と画素パターン１２１の両配列方向が一致した状態を維持することができる。また、各連通孔１５に挿通された固定用雄部材１４１の胴部１４１ａの後方側端部に固定用雌部材１４２が嵌合することにより、固定用雄部材１４１の頭部１４１ｂと固定用雌部材１４２が挟持する態様で集光素板１１と画素シート１２が固定されるため、集光素板１１と画素シート１２の厚み方向におけるずれを防止することができる。
【００３７】
以上のように構成される本装飾表示体１によれば、複数の第１の位置合わせ部たる集光素板１１の第１の孔群１１２における各孔１１２ａと、複数の第２の位置合わせ部たる画素シート１２の第２の孔群１２２における各孔１２２ａとの位置が一致することによって集光素パターン１１１と画素パターン１２１の両配列方向が一致することより、集光素板１１と画素シート１２が厚み方向に重ね合わさる際の位置合わせが一定して行われるため、集光素板１１と画素シート１２とが別体に設けられた本装飾表示体１において、画素１２１ａの拡大虚像Ｚを簡単かつ確実に現出させることができる。
【００３８】
また、本実施形態では、固定部材１４が連通孔１５に挿通されることによって集光素板１１と画素シート１２の平面方向における位置ずれが防止されるため、集光素パターン１１１と画素パターン１２１の両配列方向が一致した状態が維持され、画素１２１ａの拡大虚像Ｚを安定して現出させることができる。
【００３９】
しかも、固定部材１４において固定用雄部材１４１の頭部１４１ａと固定用雌部材１４２が挟持する態様で集光素板１１と画素シート１２を固定するため、集光素板１１と画素シート１２の厚み方向における位置ずれが防止されるため、画素１２１ａの拡大虚像Ｚをより安定して現出させることができる。
【００４０】
なお、上記実施形態において、第１の孔群１１２および第２の孔群１２２の孔１１２ａ，１２２ａが４つである場合について説明したが、複数（２つ以上）であれば、その他の個数であってもよい。このように第１の孔群１１２および第２の孔群１２２の孔１１２ａ，１２２ａを複数としたのは、集光素パターン１１１と画素パターン１２１の配列方向を２次元的（上述のｘ方向とｙ方向）に一致させるためである。つまり、第１の孔群１１２および第２の孔群１２２の孔１１２ａ，１２２ａが一つであると、集光素パターン１１１と画素パターン１２１の配列方向が孔１１２ａ，１２２ａを中心に回転方向に位置がずれてしまうが、第１の孔群１１２および第２の孔群１２２の孔１１２ａ，１２２ａが複数であると、集光素板１１と画素シート１２の平面方向の位置が定まることとなり、集光素パターン１１１と画素パターン１２１の配列方向を２次元的に一致させることが可能となる。
【００４１】
また、第１の孔群１１２および第２の孔群１２２の孔１１２ａ，１２２ａを集光素板１１および画素シート１２の角部付近に設けるものとしたが、その他の箇所に設けてもよい。ただ、複数の孔１１２ａ、１２２ａの平面方向の距離が長い方が集光素パターン１１１と画素パターン１２１の配列方向を精度良く一致させることができるため、本実施形態のように複数の孔１１２ａ、１２２ａは集光素板１１および画素シート１２の少なくとも２つの角部に分かれて設けられるのが良い。
【００４２】
また、第１の位置合わせ部が複数の孔１１２ａからなる第１の孔群１１２であり、第２の位置合わせ部が複数の孔１２２ａからなる第２の孔群１２２である場合について説明したが、その他に線、記号、図形であってもよい。要は、第１の位置合わせ部と第２の位置合わせ部の位置を一致させることができるような目印となるようなものが設けられていればよい。
【００４３】
また、固定部材１４が固定用雄部材１４１および固定用雌部材１４２によって構成されるものである場合について説明したが、固定用雄部材１４１のみであってもよい。
【００４４】
また、固定部材２４が連通孔１５に挿通されることによって集光素板１１および画素シート１２を固定するものである場合について説明したが、その他の固定部材であってもよい。
【００４５】
また、集光素板１１の厚みが２．０ｍｍに設定されている場合について説明したが、２．０ｍｍでなくてもよい。なお、集光素板１１の厚みｄは、集光素１１１ａや画素１２１ａ，２２１ａの大きさや配列ピッチによって適宜設定されるものである。例えば、集光素１１１ａおよび画素１２１ａ，２２１ａの画素径が０．１０〜２．０ｍｍ、配列ピッチが０．１１〜２．２ｍｍの場合、厚みｄは０．１０〜２０ｍｍ、さらに好ましくは０．４０〜１０ｍｍに設定されるのが好ましい。
【００４６】
また、各集光素１１１ａの配列ピッチｐが１．０ｍｍ、画素１２１ａの配列ピッチｑが０．９５ｍｍ、画素２２１ａの配列ピッチｑ’が１．０５ｍｍである場合について説明したが、その他の配列ピッチであってもよい。但し、画素の拡大虚像を確実に現出させるために、集光素の配列ピッチは０．３０〜２．０ｍｍ、貫通孔の配列ピッチは０．２０〜２．２ｍｍの範囲内で、集光素と貫通孔の配列ピッチの差異は±２０％程度の範囲内で設定されるのが好ましい。
【００４７】
また、各集光素１１１ａの配列ピッチｐおよび画素１２１ａの配列ピッチｑが、いずれも一定である場合について説明したが、いずれも配列ピッチが変化するようにしてもよいし、いずれか一方の配列ピッチが一定で他方の配列ピッチが変化するようにしてもよい。
【００４８】
また、集光素１１１ａの配列ピッチｐより画素１２１ａの配列ピッチｑの方が小さい場合について説明したが、配列ピッチｐより配列ピッチｑの方が大きくてもよい。この場合、画素の拡大虚像を画素シート１２の表側（図４および図５中では右側）に現出させることができる。
【００４９】
また、集光素１１１ａおよび画素１２１ａの直径が同一である場合について説明したが、同一でなくてもよい。
【００５０】
また、第１の素材が板状（集光素板１１）で形成され、第２の素材がシート状（画素シート１２）で形成されている場合について説明したが、第１の素材がシート状で形成され、第２の素材が板状で形成されていてもよい。
【００５１】
また、集光素パターン１１１が集光素板１１の周縁部に、画素パターン１２１が画素シート１２の周縁部に形成される場合について説明したが、集光素板１１と画素シート１２が重ね合わせられた際に、集光素パターン１１１と画素パターン１２１が重ね合うものであれば集光素パターン１１１と画素パターン１２１は任意の位置に形成されていてもよい。
【００５２】
また、写真Ｆが画素シート１２と支持シート１３の間に介在する場合について説明したが、集光素板１１と画素シート１２の間に介在してもよい。ただ、画素１２１ａの拡大虚像を現出するためには、集光素１１の集光素パターン１１１と画素シート１２の画素パターン１２１の焦点距離の設計値が重要なところ、このように写真Ｆが画素シート１２と支持シート１３の間に介在するものとすれば当該設計値の影響しないことからも好ましい。
【００５３】
また、装飾表示体１がフォトフレームに適用される場合について説明したが、その他、遊技機やゲーム機の外層パネル、包装箱、広告体、飾り品、ディスプレイ装置、文房具、土産品、教材等の各種商品に適用されてもよい。
【００５４】
また、各図面に示した集光素１１１ａおよび画素１２１ａの大きさ、配列ピッチなどは、説明の便宜上、強調的に大きく図示したものであり、実際には非常に小さい集光素１１１ａおよび画素１２１ａが２次元的に数多く配列されたものである。例えば、図３では画素１２１ａに厚みを持たせて図示しているため、画素シート１２と集光素板１１の間には隙間が形成されているが、実際には画素１２１ａは非常に薄いため、画素シート１２と集光素板１１は密着状態となっている。
【００５５】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５６】
１…装飾表示体
１１…集光素板
１１１…集光素パターン
１１１ａ…集光素
１１２…第１の孔群
１１２ａ…第１の孔
１１３…窓部
１２…画素シート
１２１…画素パターン
１２１ａ…画素
１２２…第２の孔群
１２２ａ…第２の孔
１２３…窓部
１３…支持シート
１３２…第３の孔群
１３２ａ…第３の孔
１４…固定部材
１４１…固定用雄部材
１４１ａ…胴部
１４１ｂ…頭部
１４２…固定用雌部材
１５…連通孔
【図１】
2014065212.tif 000003
【図２】
2014065212.tif 000004
【図３】
2014065212.tif 000005
【図４】
2014065212.tif 000006
【図５】
2014065212.tif 000007
【図６】
2014065212.tif 000008